(57)【要約】      （修正有）【課題】フレーム組立て用の付属部品を不要とした組立て容易な額縁を提供する。【解決手段】前面アクリル板５と背面アクリル板７の間に表示物６を挟み、該前面アクリル板と背面アクリル板が重ね合わされた周縁部をプラスチック又はアルミニウム製のフレーム４等で挟持して額縁を構成する。また、前面アクリル板及び背面アクリル板の周縁部にスリット８，９を設け、該スリットにプラスチック又はアルミニウム製のフレームの内側に形成した突条４１，４２を嵌着させて構成し、且つ、前面アクリル板と背面アクリル板が重ね合わされた周縁部のスリットに沿って、各３辺のプラスチック又はアルミニウム製のフレームをスライドさせて装着する。さらに、第４辺の前面アクリル板の縁部に形成したスリットに、プラスチック又はアルミニウム製のフレームの内側に形成した突条の一端を当接して回動させることにより他端の突条を背面アクリル板のスリットに嵌着させる。【選択図】図４
0003173106.tif 000002
【実用新案登録請求の範囲】
【請求項１】
前面アクリル板と背面アクリル板の間に表示物を挟み、該前面アクリル板と背面アクリル板が重ね合わされた周縁部をプラスチック又はアルミニウム製のフレームで挟持してなる額縁において、前面アクリル板及び背面アクリル板の周縁部にスリットを設け、該スリットにプラスチック又はアルミニウム製のフレームの内側に形成した突条を嵌着させて構成したことを特徴とする組立て容易な額縁。
【請求項２】
前面アクリル板と背面アクリル板が重ね合わされた周縁部のスリットに沿って、各３辺のプラスチック又はアルミニウム製のフレームをスライドさせて装着し、第４辺の前面アクリル板の縁部に形成したスリットに、プラスチック又はアルミニウム製のフレームの内側に形成した突条の一端を当接して回動させることにより他端の突条を背面アクリル板のスリットに嵌着させて構成することを特徴とする請求項１記載の組立て容易な額縁。
【請求項３】
背面アクリル板のスリットにフレームの内側に形成した突条を嵌着し易くするために、背面アクリル板の第４辺のエッジの厚さを背面アクリル板の厚さよりも小さく形成したことを特徴とする請求項１記載の組立て容易な額縁。
【考案の詳細な説明】
【技術分野】
【０００１】  本考案は組立て容易な額縁に関し、特に前面アクリル板と背面アクリル板の間に表示物を挟み、該前面アクリル板と背面アクリル板が重ね合わされた周縁部をプラスチック又はアルミニウム製のフレームで容易に挟持してなる額縁を得ることができ、従来のようなフレーム組立て用の付属部品が不要であり、組立て容易な額縁に関する。
【背景技術】
【０００２】  これまで多くのフォトフレームや額縁が考案され、４辺のフレームを組み合わせて構成するものであったが、いずれもフレームの他に補助部品を要するものであった。
その一例として特開２００４−１９４７５３号公報や実開平６−９５５３号公報等が公開されている。
【先行技術文献】
【特許文献】
【０００３】
【特許文献１】  特開２００４−１９４７５３号公報
【特許文献２】  実開平６−９５５３号公報
【考案の概要】
【考案が解決しようとする課題】
【０００４】  前記せる特開２００４−１９４７５３号公報では、分割フレーム間を連結する結合部材が必要であって、更にフレームを固定するロック片を要するものであった。【０００５】  また前記せる実開平６−９５５３号公報では、表枠の他に中枠を必要として補強しており、更に裏板の脱落を防止する係止片を備えるものであった。【０００６】  そこで、本考案の課題は組立て容易な額縁を提供することであって、特に前面アクリル板と背面アクリル板の間に表示物を挟み、該前面アクリル板と背面アクリル板が重ね合わされた周縁部をプラスチック又はアルミニウム製のフレームで容易に挟持してなる額縁であり、従来のようなフレーム組立て用の付属部品が不要な組立て容易な額縁に関する。【０００７】  更に本考案の課題は、組立て容易であると共に分解も容易にできる額縁を提供するものであって、好みにあわせて表示物を容易に交換できるものである。
【課題を解決するための手段】
【０００８】  前面アクリル板と背面アクリル板の間に表示物を挟み、該前面アクリル板と背面アクリル板が重ね合わされた周縁部をプラスチック又はアルミニウム製のフレームで挟持してなる額縁において、前面アクリル板及び背面アクリル板の周縁部にスリットを設け、該スリットにプラスチック又はアルミニウム製のフレームの内側に形成した突条を嵌着させて構成したことを特徴とし、  前面アクリル板と背面アクリル板が重ね合わされた周縁部のスリットに沿って、各３辺のプラスチック又はアルミニウム製のフレームをスライドさせて装着し、第４辺の前面アクリル板の縁部に形成したスリットに、プラスチック又はアルミニウム製のフレームの内側に形成した突条の一端を当接して回動させることにより他端の突条を背面アクリル板のスリットに嵌着させて構成することを特徴とし、且つ、  背面アクリル板のスリットにプラスチック又はアルミニウム製のフレームの内側に形成した突条を嵌着し易くするために、背面アクリル板の第４辺のエッジの厚さを背面アクリル板の厚さよりも小さく形成したことを特徴とする組立て容易な額縁を提供する。
【考案の効果】
【０００９】  本考案によれば、前面アクリル板と背面アクリル板の間に表示物を挟み、該前面アクリル板と背面アクリル板が重ね合わされた周縁部をプラスチック又はアルミニウム製のフレームで容易に挟持してなる額縁を得ることができ、従来のようなフレーム組立て用の付属部品が不要である。また、組立て、分解が容易であるので、好みの表示物を容易にセッティングできる効果がある。
【図面の簡単な説明】
【００１０】
【図１】額縁の平面図である。
【図２】額縁のフレーム取付け手順説明図である。
【図３】図１のＤ−Ｄ断面図である。
【図４】フレーム嵌着説明図である。
【図５】図１のＡ−Ａ線、Ｂ−Ｂ線、Ｃ−Ｃ線共通の断面図である。
【考案を実施するための形態】
【００１１】  以下、図面に基づいて、本考案を実施するための形態を具体的に説明する。
【００１２】  本考案の組立て容易な額縁は、前面アクリル板５と背面アクリル板７との間に表示物６を挟み、該前面アクリル板５と背面アクリル板７とが重ね合わされた周縁部をプラスチック又はアルミニウム製のフレーム１，２，３，４で挟持して図１のように組立てる。
【００１３】  図３乃至図５に示すように、前面アクリル板５の表面及び背面アクリル板７の裏面の周縁部に、それぞれスリット８及びスリット９を設け、該スリット８，９に、それぞれプラスチック又はアルミニウム製のフレーム１，２，３，４の内側に形成した突条４１，４２が嵌着されて組立て容易な額縁を形成している。
【００１４】  本考案の組立て容易な額縁の組立て手順は図２乃至図４にて説明することができる。
まず、前面アクリル板５と背面アクリル板７とが重ね合わされた下方縁部に、プラスチック又はアルミニウム製のフレーム３を矢印ａの方向にスライドさせて嵌着する。
【００１５】  次いで、縦方向縁部にフレーム２を矢印ｂの方向にスライドさせて嵌着し、更に上方縁部に、プラスチック又はアルミニウム製のフレーム１を矢印ｃの方向にスライドさせて嵌着する。
【００１６】  最後に残ったプラスチック又はアルミニウム製のフレーム４を図４に示すように、前面アクリル板５の縁部に形成したスリット８に、プラスチック又はアルミニウム製のフレーム４の内側に形成した突条４１を当接して矢印Ｅ方向に回動させることにより他端の突条４２を背面アクリル板７のスリット９に嵌着させて組立て容易な額縁が完成する。
【００１７】  図４に示すように、背面アクリル板７のスリット９にプラスチック又はアルミニウム製のフレーム４の内側に形成した突条４２を嵌着し易くするために、背面アクリル板７のエッジの厚さＬｉｉが背面アクリル板７の厚さＬｉよりも小さく形成されている。
【００１８】  使用した額縁の表示物６を入れ替えて使用する場合、図３に示す嵌着したプラスチック又はアルミニウム製のフレーム４を図４に示すように矢印Ｆの方向に回動すれば、容易にプラスチック又はアルミニウム製のフレーム４を取り外すことができ、
他のプラスチック又はアルミニウム製のフレーム１，２，３は図２の組立て手順とは反対にスライドさせて容易に分解することができる。
【産業上の利用可能性】
【００１９】  以上説明したように、本考案の組立て容易な額縁は、極めてシンプルな構造で、額縁を容易に組み立て又は分解することができ、従来製品のようなフレームを組立て又は固定するような付属部品を必要とせず、好みの表示物を容易に入れ替えることができ、便利に使用できる利用可能性がある。
【符号の説明】
【００２０】  １．フレーム
２．フレーム
３．フレーム
４．フレーム
４１．突条
４２．突条
５．前面アクリル板
６．表示物
７．背面アクリル板
８．スリット
９．スリット
Ｌｉ  背面アクリル板の厚さ
Ｌｉｉ  背面アクリル板のエッジ部の厚さ
Ｌｉｉｉ  前面アクリル板の厚さ
【図１】
0003173106.tif 000003
【図２】
0003173106.tif 000004
【図３】
0003173106.tif 000005
【図４】
0003173106.tif 000006
【図５】
0003173106.tif 000007